(57)【要約】【課題】ボックス本体の前面開口が柱の前面と平行となるようにボックス本体を柱に固定することができる配線用ボックスを提供する。【解決手段】配線用ボックス１０は、上下方向中央部並びにその上部及び下部の三箇所に突部１７を備えている。突部１７は、固定座１２を柱２１の側面に当接させた際に、ボックス本体１１の前面開口と同一面を柱２１に表示する。このため、この突部１７を柱２１の前面（壁表側の面）に整合させて配線用ボックス１０を柱２１に取り付けるようにすれば、ボックス本体１１の前面開口を柱２１の前面と同一平面上に位置させることができるようになっている。【選択図】図２
2006149194.tif 000002
【特許請求の範囲】
【請求項１】
配線器具を装入可能な前面開口を有する有底箱状に形成され、建物を構成する柱に固定されるボックス本体を備え、
前記ボックス本体の側壁外面における前面開口より底面側に後退した位置に、前記柱の側面に当接して固定される固定座が突出して形成され、
前記固定座を柱の側面に当接させた際に、該ボックス本体の前面開口と同一面を前記柱に表示すべく、前記ボックス本体の上下方向において位置が相違する少なくとも二箇所に形成され、
前記前面開口が前記柱の前面と平行となるように前記ボックス本体を該柱に固定可能とする表示部を備えてなることを特徴とする配線用ボックス。
【請求項２】
前記表示部のうちの一つを、上下方向中央部に備えたことを特徴とする請求項１に記載の配線用ボックス。
【請求項３】
前記表示部を、上下方向中央部よりも上方と下方の二箇所に備えたことを特徴とする請求項１又は請求項２に記載の配線用ボックス。
【発明の詳細な説明】
【技術分野】
【０００１】
本発明は、コンセントやスイッチ等の配線器具を収容し、建物を構成する柱に取り付けて使用される配線用ボックスに関するものである。
【背景技術】
【０００２】
従来のこの種の配線用ボックスとして、例えば特開平１１−１７８１５８号公報に記載のものが知られている。同公報に記載の配線用ボックスは、固定座を柱の側面に当接させた際にボックス本体の前面開口と同一面を前記柱に表示する表示部を上下方向中央部に備えている。このため、この表示部を、例えば柱の前面（壁表側の面）に整合させれば、簡単にボックス本体の前面開口を柱の前面と略同一平面上に位置させることができるようになっている。
【特許文献１】特開平１１−１７８１５８号公報
【発明の開示】
【発明が解決しようとする課題】
【０００３】
ところが、上記従来の配線用ボックスは、上下方向中央部ただ一箇所に表示部を備えるだけであり、上下方向両端部には表示部を有していない。このため、上部と下部で前後にずれた傾斜状態でボックス本体が柱に固定されるおそれ、すなわち、前面開口が柱の前面に対して非平行の状態でボックス本体が柱に固定されるおそれがあった。このように、ボックス本体の前面開口が柱の前面に対し非平行であると、美観が低下するだけでなく、ボックス本体の前面開口が柱の前面よりも前に位置するがために、配線用ボックスの取付後に柱の前面に沿って壁材を立設する場合に壁材の立設が困難となるといったことも起こりうる。
【０００４】
本発明は、上記のような従来技術に存在する問題点に着目してなされたものである。その目的とするところは、ボックス本体の前面開口が柱の前面と平行となるようにボックス本体を柱に固定することができる配線用ボックスを提供することにある。
【課題を解決するための手段】
【０００５】
上記の目的を達成するために、請求項１に記載の発明は、配線器具を装入可能な前面開口を有する有底箱状に形成され、建物を構成する柱に固定されるボックス本体を備え、前記ボックス本体の側壁外面における前面開口より底面側に後退した位置に、前記柱の側面に当接して固定される固定座が突出して形成され、前記固定座を柱の側面に当接させた際に、該ボックス本体の前面開口と同一面を前記柱に表示すべく、前記ボックス本体の上下方向において位置が相違する少なくとも二箇所に形成され、前記前面開口が前記柱の前面と平行となるように前記ボックス本体を該柱に固定可能とする表示部を備えてなることを要旨とする。
【０００６】
請求項２に記載の発明は、請求項１に記載の配線用ボックスにおいて、前記表示部のうちの一つを、上下方向中央部に備えたことを要旨とする。
請求項３に記載の発明は、請求項１又は請求項２に記載の配線用ボックスにおいて、前記表示部を、上下方向中央部よりも上方と下方の二箇所に備えたことを要旨とする。
【発明の効果】
【０００７】
本発明は、以上のように構成されているため、次のような効果を奏する。
請求項１に記載の発明によれば、上部と下部で前後にずれた傾斜状態でボックス本体が柱に固定されるのを防ぐことができる。このため、ボックス本体の前面開口が柱の前面と平行となるようにボックス本体を柱に固定することができる。
【０００８】
請求項２に記載の発明によれば、請求項１に記載の発明の効果に加え、上下方向について反転させて柱に取り付けた配線用ボックスが混在する場合であっても美観の低下を招くおそれがない。
【０００９】
請求項３に記載の発明によれば、請求項１又は請求項２に記載の発明の効果に加え、上部と下部で前後にずれた傾斜状態でボックス本体が柱に固定されるのをより確実に防止することができる。
【発明を実施するための最良の形態】
【００１０】
以下、本発明を具体化した一実施形態について図面に基づき説明する。
図１（ａ）は本実施形態における配線用ボックス１０を示す正面図、図１（ｂ）は同左側面図である。これらの図に示すように、配線用ボックス１０は、ボックス本体１１と、ボックス本体１１の側面に形成された固定座１２から主に構成されている。なお、本明細書における上下、前後、左右は、特に断らない限り図１にそれぞれ矢印で示す配線用ボックス１０の上下軸、前後軸、左右軸に沿う方向をいう。
【００１１】
ボックス本体１１は、矩形板状の底壁１３と該底壁１３の周縁から延出して形成された側壁１４とを有しており、前記底壁１３に対向する面（前面）には、コンセント、スイッチ等の配線器具を装入可能な開口が全面にわたり形成されている。すなわち、ボックス本体１１は有底無蓋の四角箱状をなしている。
【００１２】
前記側壁１４のうち底壁１３の長辺に形成されて相互に対向する一対の長側壁１４ａには、前後方向に延びる細長の孔１５がそれぞれ形成されている。なお図１においては、左側の長側壁１４ａに形成された孔１５のみを図１（ｂ）に示す。（右側の長側壁１４ａに形成された孔１５は図２を参照。）
一方、底壁１３の内面にはボス部１６が突設されている。ボス部１６はねじ孔１６ａを有しており、コンセント、スイッチ等の配線器具（図示せず）をねじ止めして取り付けられるようになっている。
【００１３】
前記固定座１２は、一対の長側壁１４ａのうち左側の長側壁１４ａの外面に突出して形成されている。固定座１２は、図１（ｂ）に示すように、長側壁１４ａの外面にあってボックス本体１１の前面開口より底面側（底壁１３の側）に後退した位置に形成されている。そして、建物を構成する柱に配線用ボックス１０を取り付ける際には、この固定座１２が柱の側面に当接して固定されるようになっている。
【００１４】
固定座１２には、同固定座１２を柱の側面に当接させた際にボックス本体１１の前面開口と同一面を柱に表示する表示部としての突部１７が三つ設けられている。これら突部１７は上下方向に等間隔おきに設けられており、そのうち中央に位置する突部１７が設けられた箇所は、配線用ボックス１０の上下方向中央に一致している。図１（ａ）に示すように、これら突部１７はいずれも正面視形状が細長で、その長手軸１７ａは配線用ボックス１０の左右軸に沿って延びている。
また図１（ｂ）に示すように、これら突部１７の前端部１７ｂは、配線用ボックス１０の上下軸及び左右軸に平行な面状をなし、ボックス本体１１の前面と同一平面上に位置している。なお、前記長手軸１７ａは前記前端部１７ｂの面内に含まれている。
【００１５】
次に、上記のように構成された配線用ボックス１０の作用を図２に基づいて説明する。
図２は、建物を構成する柱として壁裏の柱２１に配線用ボックス１０を取り付けた状態を示す斜視図である。同図に示すようにボックス本体１１の前面開口を柱２１の壁表側の面（以下、柱２１の壁表側の面を「柱２１の前面」ともいう。）と同一平面上に位置させて配線用ボックス１０を取り付ける場合には、まず柱２１の所定高さ位置に罫書き線２２を記しておく。そして、ボックス本体１１の前面を壁表側に向けた状態で固定座１２を柱２１の側面に当接させ、固定座１２に三つある突部１７のうち上下方向中央に位置する突部１７の長手軸１７ａを、前記罫書き線２２に整合させる。またそれと同時に、三つの突部１７の前端部１７ｂをそれぞれ柱２１の前面に整合させる。こうして柱２１に対する配線用ボックス１０の上下方向及び前後方向の位置を決定した状態で、最後に左側の長側壁１４ａの孔１５から柱２１にビス２３をねじ込んで固定座１２を柱２１に固定する。
【００１６】
本実施形態によって得られる効果について、以下に記載する。
・  配線用ボックス１０は、固定座１２を柱２１の側面に当接させた際にボックス本体１１の前面開口と同一面を柱２１に表示する突部１７を、上下方向で位置が相違する三箇所に有している。このため、上下方向で位置が相違する複数の箇所において柱２１の前面に対しボックス本体１１の前面開口を位置合わせすることができる。よって、上部と下部で前後にずれた傾斜状態でボックス本体１１が柱２１に固定されるのを防いで、前面開口が柱２１の前面と平行となるようにボックス本体１１を柱２１に固定することができる。
【００１７】
・  配線用ボックス１０は、突部１７のうちの一つを上下方向中央部に備えている。この上下方向中央の突部１７の長手軸１７ａを柱２１の罫書き線２２に整合させて配線用ボックス１０を柱２１に取り付けるようにすれば、柱２１の右側面と左側面どちらに取り付ける場合でも、取付後の配線用ボックス１０の高さを同じにすることができる。よって、柱２１の右側面に取り付けられた配線用ボックス１０と左側面に取り付けられた配線用ボックス１０が混在する場合であっても、それら配線用ボックス１０の高さをそろえることができ、美観の低下を防ぐことができる。
【００１８】
・  配線用ボックス１０は、上下方向中央部のほか、上下方向中央部よりも上方と下方の二箇所にも突部１７を備えている。このため上部と下部、両位置で柱２１の前面に対しボックス本体１１の前面開口を位置合わせすることができる。
よって、上部と下部で前後にずれた傾斜状態でボックス本体１１が柱２１に固定されるのをより確実に防止することができる。
【００１９】
・  本実施形態によれば、固定座１２を柱２１の側面に当接させたときに、突部１７が柱２１に当接するようになっている。このため、配線用ボックス１０を柱２１に取り付けるに際して、突部１７の長手軸１７ａや前端部１７ｂを罫書き線２２や柱２１の前面に直接突き合わせることができ、両者の整合を容易かつ正確に行うことができる。
【００２０】
・  本実施形態によれば、突部１７の前端部１７ｂはボックス本体１１の前面開口と同一平面上にある。このため、突部１７の前端部１７ｂを柱２１の前面に整合させることで、簡単にボックス本体１１の前面開口を柱２１の前面と同一平面上に位置させることができる。
【００２１】
・  配線用ボックス１０を柱２１に取り付ける際には、固定座１２を柱２１に当接させるようになっている。このため、ボックス本体１１と柱２１との間には常に所定の隙間が確保される。よって、ボックス本体１１の前面開口に化粧プレートを取り付けるときに、化粧プレートが柱２１に干渉するおそれがない。
【００２２】
・  通常、ボックス本体１１の前面開口を柱２１の前面と同一平面上に位置させて配線用ボックス１０を柱２１に取り付けた後には、ボックス本体１１と柱２１の間の隙間を埋めるために泥壁を塗ることが行われている。このとき、泥壁は柱２１の前面と面一になるように塗られるので、柱２１の前面と同一平面上にある面は、泥壁から露出することになる。本実施形態の配線用ボックス１０の場合、長側壁１４ａの外面にあってボックス本体１１の前面開口より底面側（底壁１３の側）に後退した位置に固定座１２が形成されているので、上記のように取り付けたときに柱２１の前面と同一平面上に位置する面は、ボックス本体１１の前面を除いては突部１７の前端部１７ｂというごく一部の限られた部位のみである。このため、泥壁から配線用ボックス１０の一部が露出することに起因する美観の低下を最小限に抑えることができる。
【００２３】
なお、前記実施形態を次のように変更して構成することもできる。
・  前記実施形態では突部１７の前端部１７ｂを柱２１の前面に整合させて配線用ボックス１０を柱２１に取り付けるようにしているが、突部１７の前端部１７ｂを柱２１の前面以外の箇所に整合させて取り付けるようにしてもよい。例えば、柱２１の側面に、柱２１の前面に平行な罫書き線を記しておき、その罫書き線に突部１７の前端部１７ｂを整合させて取り付けるようにしてもよい。
【００２４】
・  前記実施形態では上下方向中央の突部１７の長手軸１７ａを柱２１の罫書き線２２に整合させて配線用ボックス１０を柱２１に取り付けるようにしているが、その上部や下部の突部１７の長手軸１７ａを柱２１の罫書き線２２に整合させて取り付けるようにしてもよい。
【００２５】
・  前記実施形態では三つある突部１７の前端部１７ｂ全てがボックス本体１１の前面開口と同一平面上にあるように構成した。しかし、少なくとも二つの突部１７の前端部１７ｂがボックス本体１１の前面開口と同一平面上にある構成であれば本発明の効果を奏し得るので、三つの突部１７のうちいずれか一つの突部１７の前端部１７ｂが、他の二つの突部１７の前端部１７ｂと同一平面上に位置しない構成としてもよい。
【００２６】
・  突部１７の正面視形状は細長に限定されない。例えば三角形状でもよく、その三角の一頂点を、柱２１の罫書き線２２に整合させて配線用ボックス１０を柱２１に取り付けるようにしてもよい。
【００２７】
・  前記実施形態では突部１７の長手軸１７ａを、配線用ボックス１０を柱２１に取り付けるに際しての上下方向の位置基準として用いているが、左右方向や前後方向など、その他の方向の位置基準として用いて配線用ボックス１０を柱２１に取り付けるようにしてもよい。また前記実施形態では突部１７の前端部１７ｂを前後方向の位置基準として用いているが、左右方向や上下方向など、その他の方向の位置基準として用いるようにしてもよい。
【００２８】
次に、前記実施形態から把握できる技術的思想について以下に記載する。
・  請求項１から請求項３のいずれか一項に記載の配線用ボックスを建物を構成する柱の所定位置に位置決めして取り付けるための配線用ボックスの取付方法であって、前記柱の所定箇所にある基準部に前記表示部を整合させた状態で前記ボックス本体を前記柱に固定させることを特徴とする配線用ボックスの取付方法。なお、「柱の所定箇所にある基準部」とは、前記実施形態では「柱２１の前面」「柱２１の前面に平行な罫書き線」をいう。
【００２９】
・  前記柱に取り付けられたときに、当該柱の所定の箇所にある基準部に対し前記表示部が近接して位置するように構成したことを特徴とする請求項１から請求項３のいずれか一項に記載の配線用ボックス。このように構成すれば、表示部と、柱の所定の箇所にある基準部との整合を容易かつ正確に行うことができる。
【００３０】
・  前記柱に取り付けられたときに、当該柱の所定の箇所にある基準部に対し前記表示部が接するように構成したことを特徴とする請求項１から請求項３のいずれか一項に記載の配線用ボックス。このように構成すれば、配線用ボックスを柱に取り付けるときに、柱の所定の箇所にある基準部に表示部を直接突き合わせることができるので、両者の整合を容易かつ正確に行うことができる。
【図面の簡単な説明】
【００３１】
【図１】（ａ）は実施形態の配線用ボックスを示す正面図、（ｂ）は同左側面図。
【図２】実施形態の配線用ボックスを柱に取り付けた状態を示す斜視図。
【符号の説明】
【００３２】
１０…配線用ボックス、１１…ボックス本体、１２…固定座、１４…側壁、１７…表示部としての突部、２１…柱。
【図１】
2006149194.tif 000003
【図２】
2006149194.tif 000004